(57)【要約】【課題】手乾燥装置使用時、気体吹出し口から吹出された気体と、気体吹出し口から吹出され水受け部により反射した反射風とが、気体吹出し口近辺で衝突することによる騒音値の増幅を防止することができる手乾燥装置を提供する。【解決手段】手を挿入する手挿入部と、前記手に気体を吹出す気体吹出し口と、前記気体吹出し口に前記気体を供給する気体供給手段と、前記気体吹出し口から吹き出された気体によって吹き飛ばされた水滴等を受ける水受け部とを有し、手に付着した水などを気体にて吹き飛ばす手乾燥装置において、前記気体吹出し口から吹出された吹出し風と、前記気体吹出し口から吹出され前記水受け部により反射した反射風とが衝突するのを防止するための衝突防止手段を前記手挿入口正面に設けた。【選択図】  図１
2004187950.tif 000002
【特許請求の範囲】
【請求項１】
手を挿入する手挿入部と、該手挿入部の上面部で且つ手を挿入する側に設けられ、挿入された濡れた手に気体を吹出す気体吹出し口と、該手挿入部の下面側に設けられ、前記気体により吹き飛ばされた水滴等を受ける水受け部と、前記手挿入部の手を挿入する側より奥側に設けられ、手挿入部内の気体が背面側に排出するのを防止する背面部とを備えた手乾燥装置において、前記気体吹出し口から下方へ向かって吹出された気体と、該気体が前記挿入された手や前記水受け部に当たって反射して前記手挿入部の背面部及び上面部に沿って循環する反射風とが衝突するのを防止する衝突防止手段を、前記気体吹出し口より前記手挿入部の背面部側に設けたことを特徴とする手乾燥装置。
【請求項２】
前記衝突防止手段は、前記  循環する反射風の流れを変更することが可能なプレート形状であることを特徴とする請求項１に記載の手乾燥装置。
【請求項３】
前記衝突防止手段は、横幅を前記気体吹出し口の幅と等しいか、もしくは、広くしたことを特徴とする請求項１〜２の何れかに記載の手乾燥装置。
【請求項４】
前記衝突防止手段は、前記手挿入部の上面部からの高さを前記気体吹出し口高さより高くしたことを特徴とする請求項１〜３の何れかに記載の手乾燥装置。
【請求項５】
前記衝突防止手段は、前記手挿入部に手を挿入する手挿入面に対して、前記手挿入部の上面部から前記水受け部のある下方へ略垂直、もしくは、前記気体吹出し口方向へ傾斜していることを特徴とする請求項１〜４の何れかに記載の手乾燥装置。
【請求項６】
前記衝突防止手段を複数個配設し、前記手挿入部の上面部からの高さを前記手挿入部奥側から前記気体吹出し口方向側へ向かって次第に高くしたことを特徴とする請求項１〜５の何れかに記載の手乾燥装置。
【請求項７】
前記衝突防止手段は、塵埃などを除去する着脱可能な塵埃除去手段が一体的に形成されていることを特徴とする請求項１〜６の何れかに記載の手乾燥装置。
【請求項８】
前記衝突防止手段は、着脱可能に配設されていることを特徴とする請求項１〜７の何れかに記載の手乾燥装置。
【発明の詳細な説明】
【０００１】
【発明の属する技術分野】
本発明は、濡れた手に付着している水などを気体風によって乾燥させる手乾燥装置に関する。
【０００２】
【従来の技術】
従来、この種の手乾燥装置は、装置本体に配設された気体供給手段から供給された気体風を吹出しノズルから吹出して、手挿入部に挿入された手の掌または甲側に付着した水滴等を吹き飛ばして、手を乾燥させるものが知られている（例えば、特許文献１参照）。なお、上記手乾燥装置に配設された気体供給手段は、高圧気体風を供給することが可能なターボファンとする。
【０００３】
【特許文献１】
特開昭６１−１２２８２３号公報
【０００４】
【発明が解決しようとする課題】
しかしながら、上記従来の手乾燥装置では、気体吹出し口から吹出された気体と、気体吹出し口から吹出された気体が水受け部当たって反射した反射風とが、気体吹出し口近辺で衝突することによって乱流が発生し騒音値が増幅するという問題があった。
【０００５】
また、上記従来の手乾燥装置において使用者が手を乾燥させる際、挿入された手および、水受け部によって反射した反射風と、気体吹出し口から吹出された気体とが気体吹出し口近辺で衝突し、騒音値を増幅させるという問題があった。
【０００６】
本発明は、上記課題を解決するためになされたもので、本発明の目的は、手乾燥装置から発生する騒音を低減することにより使用者が快適に使用することが可能な手乾燥装置を提供することにある。
【０００７】
【課題を解決するための手段】
上記目的を達成するための本発明の請求項１では、手を挿入する手挿入部と、該手挿入部の上面部で且つ手を挿入する側に設けられ、挿入された濡れた手に気体を吹出す気体吹出し口と、該手挿入部の下面側に設けられ、前記気体により吹き飛ばされた水滴等を受ける水受け部と、前記手挿入部の手を挿入する側より奥側に設けられ、前記手挿入部内の気体が背面側に排出するのを防止する背面部とを備えた手乾燥装置において、前記気体吹出し口から下方へ向かって吹出された気体と、該気体が前記挿入された手や前記水受け部に当たって反射して前記手挿入部の背面部及び上面部に沿って循環する反射風とが衝突するのを防止する衝突防止手段を、前記気体吹出し口より前記手挿入部の背面部側に設けることとした。
【０００８】
この構成によれば、気体吹出し口から吹出される気体は、手挿入部内に設けられた衝突防止手段によって、手や前記水受け部に当たって反射された気体が手挿入部の背面部に沿って上昇し、上面部に沿って気体吹出し口へ向かっての流れを変更するよう制御することができ、気体吹出し口から吹出された気体と、気体吹出し口から吹出された気体が手や水受け部に当たって反射した気体との衝突を防止することができるため、手乾燥装置から発せられる騒音値を低減することが可能となる。
【０００９】
請求項２の手乾燥装置では、衝突防止手段を循環する反射風の流れを変更することが可能なプレート形状とした。
この構成によれば、循環する反射風の風力によって衝突防止手段の形状が変形することもなく、循環する反射風の流れを確実に制御することが可能となる。
【００１０】
請求項３の手乾燥装置では、衝突防止手段の横幅を気体吹出し口の幅と等しく、もしくは、それより広くした。
この構成によれば、例えば前記気体吹出し口の幅より狭い場合、循環する反射風が衝突防止手段と気体吹出し口との隙間から流れ出し、気体吹出し口近辺で気体と衝突し、騒音値が増幅する恐れがあるため、衝突防止手段の幅を前記気体吹出し口より幅広くすることによって確実に気体吹出し口近辺に流れないよう制御することが可能となる。
【００１１】
また、請求項４の手乾燥装置では、衝突防止手段の手挿入部の上面部からの高さを気体吹出し口高さより高く構成することとした。
この構成によれば、例えば気体吹出し口の高さより低い場合、循環する反射風は衝突防止手段によって循環する反射風の流れを完全に変えることができずに気体吹出し口近辺に流れてしまい循環する反射風と気体吹出し口４から吹出された気体とが気体吹出し口近辺で衝突し、騒音値が増幅する恐れがあるため、衝突防止手段の高さを気体吹出し口の高さより高くすることによって確実に気体吹出し口近辺に流れないよう制御することが可能となる。
【００１２】
請求項５の手乾燥装置では、衝突防止手段を、手挿入部に手を挿入する手挿入面に対して、手挿入部の上面部から前記水受け部のある下方へ略垂直、もしくは、気体吹出し口方向へ傾斜させることとした。
【００１３】
衝突防止手段を略垂直とする構成とすることにより、気体吹出し口から吹出された気体が挿入された手及び水受け部に当たって反射した循環する反射風の流れを、手挿入部の上面部から前記水受け部のある下方へ垂直に変更することができるため、循環する反射風は気体吹出し口から離れた位置へ流すことができ、気体吹出し口から吹出された気体との衝突が避けられ、衝突による騒音値を低減することが可能となる。
また、衝突防止手段を気体吹出し口方向へ傾斜させる構成とすることにより、気体吹出し口から吹出された気体が挿入された手及び水受け部により反射した反射風の流れを、手挿入部の背面部の沿って上面部から前記水受け部のある下方へ方向を変更すると共に、気体吹出し口から吹出された気体の流れと交わることのない方向へ変更することができるため、循環する反射風を気体吹出し口から離れた位置へ流すことができ、気体吹出し口から吹出された気体との衝突が避けられると共に、循環する反射風が衝突防止手段に衝突後、衝突防止手段近辺で滞留して乱流による騒音を発生することが無く、手挿入部の上面部から前記水受け部のある下方へスムーズに気体の流れを変えることが可能となり、衝突による騒音値を効率的に低減することが可能となる。
【００１４】
また、請求項６の手乾燥装置では、衝突防止手段を複数個配設し、手挿入部の上面部からの高さを手挿入部奥側から前記気体吹出し口方向側へ向かって次第に高く構成することとした。
この構成によれば、例えば前記衝突防止手段を複数個配設した場合、前記手挿入部奥側に配設された衝突防止手段で循環する反射風の流れを完全に変えることが出来なくても、前記気体吹出し口側に配設された別の衝突防止手段によって、再度循環する反射風の流れを変えることができるため、衝突による騒音値を確実に低減することが可能となる。
【００１５】
また、請求項７の手乾燥装置では、衝突防止手段に塵埃などを除去する着脱可能な塵埃除去手段が一体的に形成する構成することとした。
この構成によれば、衝突防止手段によって循環する反射風の流れを変えることができ、衝突による騒音値を低減することが可能になるとともに、塵埃除去手段を着脱する際の取っ手部として兼用することも可能となる。
【００１６】
また、衝突防止手段と塵埃除去手段とが一体的に形成されたことにより、前記循環する反射風には、挿入された手から除去された水滴等が含まれており、次第に前記衝突防止手段が汚れ、衝突防止手段の裏面で使用者側から見えずに且つ、取付け状態では清掃しにくい箇所も、衝突防止手段と塵埃除去手段とを一緒に取外して容易に清掃することが可能となる。
【００１７】
また、請求項８の手乾燥装置では、衝突防止手段を着脱可能に構成することとした。
この構成によれば、衝突防止手段によって循環する反射風の流れを変えることができ、衝突による騒音値を低減することが可能になるとともに、前記循環する反射風には、挿入された手から除去された水滴等が含まれており、次第に前記衝突防止手段が汚れ、衝突防止手段の裏面で使用者側から見えずに且つ、下カバー面に取付けた状態では清掃しにくい箇所であっても、衝突防止手段を取外して容易に清掃することが可能となる。
【００１８】
【発明の実施の形態】
以下、本発明の実施の形態を添付図面に基づいて説明する。図１は、本発明に係る手乾燥装置の第一の実施例を示す概略正面図であり、図２および図３は本発明に係る手乾燥装置の第一の実施例を示す概略断面である。また、図４は本発明に係る手乾燥装置使用時において、手を挿入していない場合における高速気体の流れを表した図である。
【００１９】
図１〜図３に示すように手乾燥装置Ａは、箱型の外郭ケースで形成され、上方の外郭ケース内部には、挿入された濡れた手へ高速気体を供給するためのターボファンモータなどからなる気体供給手段１が配設され、気体供給手段１を下カバー部１２で塞いで収納している。
また、下カバー部１２の下方には濡れた手を挿入して乾燥させるための手挿入部６を開口させている。
手挿入部６の上面部で且つ手を挿入する側に近い方に、挿入された濡れた手に気体を吹出す気体吹出し口４が配設されており、気体吹出し口４の奥側には下カバー部１２を配設しており、気体供給手段１と気体吹出し口４との間には、供給路２が形成されている。
下カバー部１２には、手挿入部６に挿入された手５を検出する人体検出手段８と、気体吹出し口４から吹出された高速気体と、気体吹出し口４から下方へ向かって吹出された気体と、気体が前記挿入された手や前記水受け部９に当たって反射して前記手挿入部の背面部及び上面部に沿って循環する反射風とが衝突するのを防止する衝突防止手段１３が、下カバー部１２から下カバー部１２の面から見て円弧状に、凸部を気体吹出し口４に向ける状態で突出形成されている。
【００２０】
更に、手挿入部６の下面部には気体吹出し口４から供給された気体により濡れた手５から吹飛ばされた水滴等を受ける水受け部９と、この水受け部９に着脱自在に取り付けられ、水受け部９で受けた水滴等を水受け部９に設けた排水口（図示せず）を介して貯水する水受けトレイ１０とが配設されている。
また、手挿入部６内の気体が背面側に排出するのを防止する背面部が、手挿入部６の上面部と水受け部９との間に配設されている。
また、下カバー部１２には気体吹出し口４から吹出される高速気体量を設定できる風量切替手段７が設けられており、風量切替手段７からの設定信号に基づいて、制御部１１が気体供給手段１の出力を制御して気体吹出し口４から吹出される高速気体量を調整するように構成されている。
更に、下カバー部１２には気体供給手段１の吸引口と連通し、気体供給手段１へ塵埃などの侵入を防止する着脱可能な塵埃除去手段１４が設けられている。
塵埃除去手段１４は、手乾燥装置Ａの裏面に配設されており、空気を吸込み送風機に送る空気中の塵埃を集塵するフィルタであり、メッシュ状ポリウレタンフォームからなる。
【００２１】
また、気体吹出し口４の近傍には、手挿入部６に挿入された手５を検出する人体検出手段８が設けられており、人体検出手段８からの検出信号に基づいて、気体供給手段１を制御する制御部１１が設けられている。
【００２２】
以上のように構成された手乾燥装置Ａの動作について、以下に説明する。
【００２３】
使用者が手乾燥装置Ａの前に立ち手挿入部６に濡れた手５を挿入すると、人体検出手段８により手５を検出し、その検出信号が制御部１１に入力されると、気体供給手段１が駆動し、気体吹出し口４から手５の掌側または甲側に向けて、使用者から離れる方向に高速気体が吹き出し、手５に付着している水滴等を吹き飛ばして、手５の乾燥が行われる。
【００２４】
また、気体吹出し口４から吹出された高速気体は、手挿入部６に挿入された手５に反射して水受け部９に衝突し、背面部に沿って下カバー部１２がある上面部に向かう、また、手５を通り抜けて水受け部９に衝突後、背面部に沿って下カバー部１２がある上面部に向かう循環する反射風となって、気体吹出し口４の方向へ向かう前に、下カバー部１２に設けられた衝突防止手段１３で反射風の流れを水受け部９の方向に変更することにより、気体吹出し口４から離れる方向に誘導される。
【００２５】
そして、気体吹出し口４から吹出された高速気体および、高速気体により吹き飛ばされた水滴等は、手５の掌側または、甲側の接線方向に沿って水受け部９へ向かい、水受部９で受けた後、排水口（図示せず）を経由して水受けトレイ１０へ誘導される。
【００２６】
更に、図４に示すように使用者が手５の乾燥を終了し、手５を手挿入部６の外へ出した後に気体吹出し口４から吹出された高速気体は、水受け部９に衝突後、反射されて下カバー部１２に向かい、下カバー部１２に衝突後、下カバー部１２に設けられた衝突防止手段１３で循環する反射風の流れを水受け部９の方向に変更することにより、気体吹出し口４から離れる方向に誘導される。
【００２７】
このように構成にすれば、手乾燥装置Ａを使用時、使用者が濡れた手５を手挿入部６に挿入すると、気体吹出し口４から吹出された高速気体が挿入された手５や水受け部９に当たって反射した気体の流れを衝突防止手段１３によって制御することにより、気体吹出し口４から吹出される高速気体との衝突を未然に防止することができるため、手乾燥装置から発生する騒音を低減することが可能となる。
【００２８】
また、図示では、プレート形状の衝突防止手段１３は、気体吹出し口４に沿って配設された、下カバー部１２からの高さを気体吹出し口４より高くして配設させた長方形の板状体であり、下カバー部１２からの高さを更に高くするように構成すれば、循環する反射風はプレート形状の衝突防止手段１３に沿って、より気体吹出し口４より離れた位置に流れるようになり、気体吹出し口４から吹出された高速気体が挿入された手５や水受け部９に当たって反射して循環する反射風の流れをプレート形状の衝突防止手段１３によって、より効果的に制御することができるため、手乾燥装置から発生する騒音を低減することが可能となり、使用者は快適に手乾燥装置を使用することができる。
【００２９】
また、図示では、プレート形状の衝突防止手段１３の横幅を、手乾燥装置Ａの横方向に沿って形成された気体吹出し口４の横幅より広く（長さを長く）しているが、このように構成すれば、プレート形状の衝突防止手段１３の横幅範囲内の循環する反射風はプレート形状の衝突防止手段１３に沿って流れるようになり、気体吹出し口４から吹出された高速気体が挿入された手５や水受け部９に当たって反射した気体の流れをプレート形状の衝突防止手段１３によって、上下方向だけでなく横方向の範囲の循環する反射風も制御することができるため、手乾燥装置から発生する騒音を低減することが可能となり、使用者は快適に手乾燥装置を使用することができる。
【００３０】
また、図示では塵埃除去手段１４と衝突防止手段１３とが記載されているが、塵埃除去手段１４と衝突防止手段１３とを一体に形成することで、衝突防止手段１３を別部品として形成させる必要がなく部品点数が削減でき、コスト削減が可能となるとともに、前述した高速気体により除去された水滴等などがプレート形状の衝突防止手段１３に付着して汚れても、塵埃除去手段１４は使用者によって定期的に取外されて清掃されるため、常に清潔な状態で使用することが可能となる。
【００３１】
図２に示すように衝突防止手段１３を気体吹出し口４より奥方向で、下カバー部１２の正面に対して略垂直に衝突防止手段１３を突出形成させている。これにより、手乾燥装置Ａを使用時、使用者が濡れた手５を手挿入部６に挿入すると、気体吹出し口４から吹出された高速気体が挿入された手５や水受け部９に当たって反射した気体の流れを衝突防止手段１３によって制御することにより、循環する反射風は下カバー部１２の正面に対して略垂直に設けられた衝突防止手段１３の形状に沿って流れるようになり、気体吹出し口４から吹出される高速気体との衝突を未然に防止することができるため、手乾燥装置から発生する騒音を低減することが可能となり、使用者は快適に手乾燥装置を使用することができる。
【００３２】
図５は、本発明に係る衝突防止手段１３の実施例を示す部分詳細図であり、上述した第一および第二の実施例と同様の構成は同一の符号を付し、その説明は省略する。
【００３３】
また、図５に示すように衝突防止手段１３を気体吹出し口４より奥方向で、下カバー部１２から気体吹出し口４の方向へ傾斜させるように突出形成させている。これにより、気体吹出し口４から吹出された高速気体が挿入された手５や水受け部９に当たって反射した気体の流れを衝突防止手段１３によって制御することにより、循環する反射風は下カバー部１２に設けられた気体吹出し口４の方向へ傾斜した衝突防止手段１３の形状に沿って流れ、前述図４の下カバー部１２の正面に対して略垂直に衝突防止手段１３の場合よりスムーズに循環する反射風の流れが変わり、気体吹出し口４から吹出される高速気体との衝突を未然に防止することができるため、手乾燥装置から発生する騒音を低減することが可能となり、使用者は快適に手乾燥装置を使用することができる。
【００３４】
図６および図７は、本発明に係る衝突防止手段１３の他の実施例を示す概略図であり、上述した第一および第二の実施例と同様の構成は同一の符号を付し、その説明は省略する。
【００３５】
図６に示すように衝突防止手段１３を気体吹出し口４より奥方向に配設し、下カバー部１２に複数個設けるように構成すれば、気体吹出し口４から吹出された高速気体が挿入された手５や水受け部９に当たって反射した気体の流れを複数の衝突防止手段１３によって、より多くの循環する反射風を衝突防止手段１３に衝突させて流れる方向を制御することにより、反射風は衝突防止手段１３によって流れる方向が、気体吹出し口４とは別の方向に変えられるため、気体吹出し口４から吹出される高速気体との衝突を未然に防止することができる。
これにより、手乾燥装置から発生する騒音を更に低減することが可能となり、使用者は快適に手乾燥装置を使用することができる。
【００３６】
また、図７に示すように衝突防止手段１３を気体吹出し口４より奥方向に配設し、下カバー部１２に複数個設けるとともに、衝突防止手段１３のプレート形状の衝突防止手段１３高さが、下カバー部１２の奥側に設けた衝突防止手段１３より気体吹出し口４側に設けた衝突防止手段１３の方のプレート形状の衝突防止手段１３高さが高くなるように構成すれば、気体吹出し口４から吹出された高速気体が挿入された手５や水受け部９に当たって反射した反射風の流れを下カバー部１２の奥側に設けた衝突防止手段１３で気体吹出し口４とは別の方向に流れを変えるとともに、下カバー部１２の奥側に設けた衝突防止手段１３によって流れを変えられなかった反射風についても、気体吹出し口４に近い側に設けた別の衝突防止手段１３によって再度流れを変えることができるため、気体吹出し口４から吹出される高速気体との衝突を効果的に防止することができる。
これにより、手乾燥装置から発生する騒音を更に低減することが可能となり、使用者は快適に手乾燥装置を使用することができる。
【００３７】
上述した内容は、あくまで本発明の一実施形態に関するものであって、本発明が上記内容のみに限定されることを意味されるものでない。
例えば、図３では衝突防止手段１３の形状は下カバー部１２の面から見て円弧形状になっているが、山型形状としてもよく、このように構成しても、同様に気体吹出し口４から吹出される高速気体と水受け部９によって反射した循環する反射風との衝突を防止することができるため、手乾燥装置から発生する騒音を低減することが可能である。円弧形状や山型形状とすることで、下カバー面にフィルターなどが配設されている場合には、フィルターを取り外す際に着脱の邪魔とならず、着脱が容易となる。
また、気体供給手段１２から供給される高速気体は、高速風に限らず、低速風でもよい。
また、衝突防止手段１３は、ゴム、木、プラスチック等の反射風の風力によって衝突防止手段の形状が変わらないものを用いれば、反射風の制御が容易である。
【００３８】
以上説明したように、本発明によれば、気体吹出し口から吹出される気体は、手挿入部内に設けられた衝突防止手段によって循環する反射風の流れを制御することができ、気体吹出し口から吹出された気体と、気体吹出し口から吹出された気体が、手および水受け部に当たって反射した循環する反射風との衝突を軽減できるため、手乾燥装置から発せられる騒音値を低減することが可能となり、使用者は快適に手乾燥装置を使用することができる。
【図面の簡単な説明】
【図１】本発明に係る手乾燥装置の第一の実施例を示す概略正面図である。
【図２】本発明に係る手乾燥装置の第一の実施例を示す概略断面図である。
【図３】本発明に係る手乾燥装置の第一の実施例を示す概略断面図である
【図４】本発明に係る手乾燥装置使用時の手なしの場合における高速気体の流れを表した図である。
【図５】本発明に係る衝突防止手段１３の実施例を示す概略断面図である。
【図６】本発明に係る衝突防止手段１３の他の実施例を示す概略断面図である。
【図７】本発明に係る衝突防止手段１３の更に他の実施例を示す概略断面図である。
【符号の説明】
Ａ…手乾燥装置、１…気体供給手段、２…供給路、３…加熱手段、
４…気体吹出しノズル、５…手、６…手挿入部、７…切替手段
８…人体検知手段、９…水受け部、１０…水受けトレイ、
１１…制御部、１２…下カバー部、１３…衝突防止手段、
１４…塵埃除去手段
【図１】
2004187950.tif 000003
【図２】
2004187950.tif 000004
【図３】
2004187950.tif 000005
【図４】
2004187950.tif 000006
【図５】
2004187950.tif 000007
【図６】
2004187950.tif 000008
【図７】
2004187950.tif 000009
【手続補正書】
【提出日】平成14年12月16日(2002.12.16)
【手続補正１】
【補正対象書類名】明細書
【補正対象項目名】請求項１
【補正方法】変更
【補正の内容】
【請求項１】
手を挿入する手挿入部と、該手挿入部の上面部で且つ手を挿入する側に設けられ、挿入された濡れた手に気体を吹出す気体吹出し口と、該手挿入部の下面側に設けられ、前記気体により吹き飛ばされた水滴等を受ける水受け部と、前記手挿入部の手を挿入する側より奥側に設けられ、手挿入部内の気体が背面側に排出するのを防止する背面部とを備えた手乾燥装置において、前記気体吹出し口から下方へ向かって吹出された気体と、該気体が前記挿入された手や前記水受け部に当たって反射して前記手挿入部の背面部及び上面部に沿って循環する反射風とが衝突するのを防止する衝突防止手段を、前記気体吹出し口より前記手挿入部の上面部側に設けたことを特徴とする手乾燥装置。
【手続補正２】
【補正対象書類名】明細書
【補正対象項目名】０００７
【補正方法】変更
【補正の内容】
【０００７】
【課題を解決するための手段】
上記目的を達成するための本発明の請求項１では、手を挿入する手挿入部と、該手挿入部の上面部で且つ手を挿入する側に設けられ、挿入された濡れた手に気体を吹出す気体吹出し口と、該手挿入部の下面側に設けられ、前記気体により吹き飛ばされた水滴等を受ける水受け部と、前記手挿入部の手を挿入する側より奥側に設けられ、前記手挿入部内の気体が背面側に排出するのを防止する背面部とを備えた手乾燥装置において、前記気体吹出し口から下方へ向かって吹出された気体と、該気体が前記挿入された手や前記水受け部に当たって反射して前記手挿入部の背面部及び上面部に沿って循環する反射風とが衝突するのを防止する衝突防止手段を、前記気体吹出し口より前記手挿入部の上面部側に設けることとした。